(57)【要約】【課題】  撮像する文字列の文字サイズや当該撮像装置が有する撮像画素数（解像度）により左右されることなく、文字認識可能な状態で文字列を撮像記録する。【解決手段】  （ａ）に示す起動画面を表示部１０２に表示させて、スルー画像を表示するとともに、（ｂ）に示すガイド枠１５３を表示する。ガイド枠１５３における各升目は、撮像デバイスが有する撮像画素数（解像度）との関係において、撮像後に文字認識可能な大きさで文字列を構成する各文字が収まるべき大きさである。そして、制御部が、撮像デバイスを制御して撮像レンズを駆動させるズーム処理を実行することにより、（ｄ）に示すように、文字１５６がガイド枠１５３の各升目内に最も大きい状態で収まる。よって、撮像する文字列１５５の文字サイズや当該携帯電話１が有する撮像画素数により左右されることなく、文字認識可能な状態で文字列１５５を撮像記録することができる。【選択図】    図６
2006041645.tif 000002
【特許請求の範囲】
【請求項１】
拡大倍率を変化させて撮像可能な撮像手段と、
この撮像手段により撮像される被写体像を表示する表示手段と、
前記撮像手段が文字列を撮像する際に、撮像後に文字認識可能な大きさで各文字が収まるべき枠を前記表示手段に表示させる枠表示制御手段と、
操作に応じて前記撮像手段の拡大倍率を制御する撮像制御手段と、
この撮像制御手段により拡大倍率を制御された前記撮像手段により撮像される文字列画像を記録する記録手段と
を備えたことを特徴とする撮像装置。
【請求項２】
拡大倍率を変化させて撮像可能な撮像手段と、
この撮像手段により撮像される被写体像を表示する表示手段と、
前記撮像手段が文字列を撮像する際に、撮像後に文字認識可能な大きさで各文字が収まるべき枠を前記表示手段に表示させる枠表示制御手段と、
前記撮像手段により撮像される文字のサイズを設定する設定手段と、
この設定手段により設定された文字のサイズに応じて、前記文字列の各文字が前記枠内に収まるように前記撮像手段の拡大倍率を制御する撮像制御手段と、
この撮像制御手段により拡大倍率を制御された前記撮像手段により撮像される文字列画像を記録する記録手段と
を備えたことを特徴とする撮像装置。
【請求項３】
撮像画素数を変化させて撮像可能な撮像手段と、
この撮像手段により撮像される被写体像を表示する表示手段と、
前記撮像手段の撮像画素数を設定する設定手段と、
前記撮像手段が文字列を撮像する際に、前記設定手段により設定された撮像画素数に応じて、撮像後に文字認識可能な大きさで各文字が収まるべき枠を前記表示手段に表示させる枠表示制御手段と、
前記設定手段により設定された撮像画素数で前記撮像手段により撮像される文字列画像を記録する記録手段と
を備えたことを特徴とする撮像装置。
【請求項４】
前記撮像手段は、更に拡大倍率を変化させて撮像可能であり、
操作に応じて前記撮像手段の拡大倍率を制御する撮像制御手段を更に備えたことを特徴とする請求項３記載の撮像装置。
【請求項５】
前記撮像手段は、更に拡大倍率を変化させて撮像可能であり、
前記文字が前記枠内に収まるように、前記撮像手段の拡大倍率を制御する撮像制御手段を更に備えたことを特徴とする請求項３記載の撮像装置。
【請求項６】
拡大倍率を変化させて撮像可能な撮像手段と、この撮像手段により撮像される被写体像を表示する表示手段とを備えた撮像装置における文字列撮像方法であって、
前記撮像手段が文字列を撮像する際に、撮像後に文字認識可能な大きさで各文字が収まるべき枠を前記表示手段に表示させる枠表示制御工程と、
操作に応じて前記撮像手段の拡大倍率を制御する撮像制御工程と、
この撮像制御工程により拡大倍率を制御された前記撮像手段により撮像される文字列画像を記録手段に記録させる記録制御工程と
を含むことを特徴とする文字列撮像方法。
【請求項７】
拡大倍率を変化させて撮像可能な撮像手段と、この撮像手段により撮像される被写体像を表示する表示手段とを備えた撮像装置における文字列撮像方法であって、
前記撮像手段が文字列を撮像する際に、撮像後に文字認識可能な大きさで各文字が収まるべき枠を前記表示手段に表示させる枠表示制御工程と、
前記撮像手段により撮像される文字のサイズを設定する設定工程と、
この設定工程により設定された文字のサイズに応じて、前記文字列の各文字が前記枠内に収まるように前記撮像手段の拡大倍率を制御する撮像制御工程と、
この撮像制御工程により拡大倍率を制御された前記撮像手段により撮像される文字列画像を記録手段に記録させる記録制御工程と
を含むことを特徴とする文字列撮像方法。
【請求項８】
撮像画素数を変化させて撮像可能な撮像手段と、この撮像手段により撮像される被写体像を表示する表示手段とを備えた撮像装置における文字列撮像方法であって、
前記撮像手段の撮像画素数を設定する設定工程と、
前記撮像手段が文字列を撮像する際に、前記設定手段により設定された撮像画素数に応じて、撮像後に文字認識可能な大きさで各文字が収まるべき枠を前記表示手段に表示させる枠表示制御工程と、
前記設定工程により設定された撮像画素数で前記撮像手段により撮像される文字列画像を記記録手段に記録させる記録制御工程と
を含むことを特徴とする文字列撮像方法。
【請求項９】
拡大倍率を変化させて撮像可能な撮像手段と、この撮像手段により撮像される被写体像を表示する表示手段とを備える撮像装置が有するコンピュータを、
前記撮像手段が文字列を撮像する際に、撮像後に文字認識可能な大きさで各文字が収まるべき枠を前記表示手段に表示させる枠表示制御手段と、
操作に応じて前記撮像手段の拡大倍率を制御する撮像制御手段と、
この撮像制御手段により拡大倍率を制御された前記撮像手段により撮像される文字列画像を記録手段に記録させる記録制御手段と
して機能させることを特徴とする文字列撮像プログラム。
【請求項１０】
拡大倍率を変化させて撮像可能な撮像手段と、この撮像手段により撮像される被写体像を表示する表示手段とを備える撮像装置が有するコンピュータを、
前記撮像手段が文字列を撮像する際に、撮像後に文字認識可能な大きさで各文字が収まるべき枠を前記表示手段に表示させる枠表示制御手段と、
前記撮像手段により撮像される文字のサイズを設定する設定手段と、
この設定手段により設定された文字のサイズに応じて、前記文字列の各文字が前記枠内に収まるように前記撮像手段の拡大倍率を制御する撮像制御手段と、
この撮像制御手段により拡大倍率を制御された前記撮像手段により撮像される文字列画像を記録手段に記録させる記録制御手段と
して機能させることを特徴とする文字列撮像プログラム。
【請求項１１】
撮像画素数を変化させて撮像可能な撮像手段と、この撮像手段により撮像される被写体像を表示する表示手段とを備える撮像装置が有するコンピュータを、
前記撮像手段の撮像画素数を設定する設定手段と、
前記撮像手段が文字列を撮像する際に、前記設定手段により設定された撮像画素数に応じて、撮像後に文字認識可能な大きさで各文字が収まるべき枠を前記表示手段に表示させる枠表示制御手段と、
前記設定手段により設定された撮像画素数で前記撮像手段により撮像される文字列画像を記録手段に記録させる記録制御手段と
して機能させることを特徴とする文字列撮像プログラム。
【発明の詳細な説明】
【技術分野】
【０００１】
本発明は、文字認識を行うために文字列を撮像するに好適な撮像装置、この撮像装置における文字列撮像方法及び文字列撮像プログラムに関する。
【背景技術】
【０００２】
従来、被写体画像中に含まれている文字を文字コードで記録する撮像装置が提案されている。この撮像装置は、シャッターキーが操作されると、撮影処理を開始してデジタル画像データを取り込み、ＤＲＡＭに一旦記憶させる。引き続き、この記憶させたデジタル画像データに基づく画像中に文字があるか否かを判別し、文字がない場合には、画像データを記憶する。文字がある場合には、各文字を認識して、文字コードに変換した後、この文字コードを記憶する。したがって、文字のみで構成される被写体画像を撮像した場合には被写体画像全体が文字コードで記録されるものである（例えば、特許文献１参照。）。
【特許文献１】特開平１１−２２０６８２号公報
【発明の開示】
【発明が解決しようとする課題】
【０００３】
しかしながら、撮像装置の撮像画素数（解像度）は機種により異なり種々の撮像画素数を有する撮像装置が存在する一方、撮像される画像中の文字サイズも種々存在する。したがって、撮像した画像データをＤＲＡＭに旦記憶して、文字を認識しようとしても、撮像された文字の撮像画素数によっては認識不可能となったり、撮像された文字のサイズによっては認識不可能となる等、文字認識可能な状態で文字列を記録することができない場合がある。
【０００４】
本発明はこのような問題点に鑑みてなされたものであり、撮像する文字列の文字サイズや当該撮像装置が有する撮像画素数（解像度）により左右されることなく、文字認識可能な状態で文字列を撮像記録することのできる撮像装置、文字列撮像方法及び文字列撮像プログラムを提供することを目的とする。
【課題を解決するための手段】
【０００５】
前記課題を解決するため請求項１記載の発明に係る撮像装置にあっては、拡大倍率を変化させて撮像可能な撮像手段と、この撮像手段により撮像される被写体像を表示する表示手段と、前記撮像手段が文字列を撮像する際に、撮像後に文字認識可能な大きさで各文字が収まるべき枠を前記表示手段に表示させる枠表示制御手段と、操作に応じて前記撮像手段の拡大倍率を制御する撮像制御手段と、この撮像制御手段により拡大倍率を制御された前記撮像手段により撮像される文字列画像を記録する記録手段とを備える。
【０００６】
つまり、枠表示制御手段は、当該撮像装置の撮像手段が有する撮像画素数との関係において、撮像後に文字認識可能な大きさで文字列を構成する各文字が収まるべき枠を表示手段に表示させる。そこで、ユーザは操作により撮像制御手段を動作させて、表示部に表示された文字列の文字が各枠内に収まるように撮像手段の拡大倍率を変化させる。しかる後に、記録手段に拡大倍率を制御された撮像手段により撮像される文字列画像が記録されると、この文字列画像の文字は必然的に当該撮像装置が有する撮像画素数との関係において、文字認識可能な大きさで記録されることとなる。しかも、表示部に表示された文字列の文字が各枠内に収まる状態で撮像すれば、撮像した文字が過剰な大きさとなることもない。よって、撮像する文字列の文字サイズや当該撮像装置が有する撮像画素数により左右されることなく、文字認識可能な状態で文字列を撮像記録することができるのみならず、適正な大きさで効率的に文字認識可能な状態で文字列を撮像記録することができる。
【０００７】
また、請求項２記載の発明に係る撮像装置にあっては、拡大倍率を変化させて撮像可能な撮像手段と、この撮像手段により撮像される被写体像を表示する表示手段と、前記撮像手段が文字列を撮像する際に、撮像後に文字認識可能な大きさで各文字が収まるべき枠を前記表示手段に表示させる枠表示制御手段と、前記撮像手段により撮像される文字のサイズを設定する設定手段と、この設定手段により設定された文字のサイズに応じて、前記文字列の各文字が前記枠内に収まるように前記撮像手段の拡大倍率を制御する撮像制御手段と、この撮像制御手段により拡大倍率を制御された前記撮像手段により撮像される文字列画像を記録する記録手段とを備える。
【０００８】
つまり、この撮像装置の場合、設定手段により撮像される文字のサイズを設定すると、撮像制御手段が文字列の各文字が前記枠内に収まるように前記撮像手段の拡大倍率を自動的に制御する。したがって、ユーザは操作により撮像制御手段を動作させて、表示部に表示された文字列の文字が各枠内に収まるように撮像手段の拡大倍率を変化させる必要がない。よって、撮像する文字列の文字サイズや当該撮像装置が有する撮像画素数により左右されることなく、容易に文字認識可能な状態で文字列を撮像記録することができ、また、容易に適正な大きさで効率的に文字認識可能な状態で文字列を撮像記録することができる。
【０００９】
また、請求項３記載の発明に係る撮像装置にあっては、撮像画素数を変化させて撮像可能な撮像手段と、この撮像手段により撮像される被写体像を表示する表示手段と、前記撮像手段の撮像画素数を設定する設定手段と、前記撮像手段が文字列を撮像する際に、前記設定手段により設定された撮像画素数に応じて、撮像後に文字認識可能な大きさで各文字が収まるべき枠を前記表示手段に表示させる枠表示制御手段と、前記設定手段により設定された撮像画素数で前記撮像手段により撮像される文字列画像を記録する記録手段とを備える。
【００１０】
つまり、この撮像装置の撮像手段は撮像画素数（解像度）を変化させて撮像可能であり、枠表示制御手段は、設定された撮像画素数との関係において、撮像後に文字認識可能な大きさで文字列を構成する各文字が収まるべき枠を表示手段に表示させる。したがって、ユーザは当該撮像装置の撮像手段が拡大倍率を変化させ得るものである場合には拡大倍率を変化させ、拡大倍率が固定である場合には、被写体となる文字列までの距離を変化させることにより、表示部に表示された文字列の文字が各枠内に収まるようにする。しかる後に、記録手段に拡大倍率を制御された撮像手段により撮像される文字列画像が記録されると、この文字列画像の文字は必然的に前記設定された撮像画素数との関係において、文字認識可能な大きさで記録されることとなる。しかも、表示部に表示された文字列の文字が各枠内に収まる状態で撮像すれば、撮像した文字が過剰な大きさとなることもない。
【００１１】
また、請求項４記載の発明に係る撮像装置にあっては、前記撮像手段は、更に拡大倍率を変化させて撮像可能であり、操作に応じて前記撮像手段の拡大倍率を制御する撮像制御手段を更に備える。したがって、ユーザは撮像手段が拡大倍率を変化させ、表示部に表示された文字列の文字が各枠内に収まるようにする。しかる後に、記録手段に拡大倍率を制御された撮像手段により撮像される文字列画像が記録されると、この文字列画像の文字は必然的に前記設定された撮像画素数との関係において、文字認識可能な大きさで記録されることとなる。しかも、表示部に表示された文字列の文字が各枠内に収まる状態で撮像すれば、撮像した文字が過剰な大きさとなることもない。
【００１２】
また、請求項５記載の発明に係る撮像装置にあっては、前記撮像手段は、更に拡大倍率を変化させて撮像可能であり、前記文字が前記枠内に収まるように、前記撮像手段の拡大倍率を制御する撮像制御手段を更に備える。したがって、ユーザは操作により撮像制御手段を動作させて、表示部に表示された文字列の文字が各枠内に収まるように撮像手段の拡大倍率を変化させる必要がない。よって、撮像する文字列の文字サイズや当該撮像装置が有する撮像画素数により左右されることなく、容易に文字認識可能な状態で文字列を撮像記録することができ、また、容易に適正な大きさで効率的に文字認識可能な状態で文字列を撮像記録することができる。
【００１３】
また、請求項６記載の発明にあっては、拡大倍率を変化させて撮像可能な撮像手段と、この撮像手段により撮像される被写体像を表示する表示手段とを備えた撮像装置における文字列撮像方法であって、前記撮像手段が文字列を撮像する際に、撮像後に文字認識可能な大きさで各文字が収まるべき枠を前記表示手段に表示させる枠表示制御工程と、操作に応じて前記撮像手段の拡大倍率を制御する撮像制御工程と、この撮像制御工程により拡大倍率を制御された前記撮像手段により撮像される文字列画像を記録手段に記録させる記録制御工程とを含む。したがって、記載した工程に従って処理を実行することにより、請求項１記載の発明と同様の作用効果を奏する。
【００１４】
また、請求項７記載の発明にあっては、拡大倍率を変化させて撮像可能な撮像手段と、この撮像手段により撮像される被写体像を表示する表示手段とを備えた撮像装置における文字列撮像方法であって、前記撮像手段が文字列を撮像する際に、撮像後に文字認識可能な大きさで各文字が収まるべき枠を前記表示手段に表示させる枠表示制御工程と、前記撮像手段により撮像される文字のサイズを設定する設定工程と、この設定工程により設定された文字のサイズに応じて、前記文字列の各文字が前記枠内に収まるように前記撮像手段の拡大倍率を制御する撮像制御工程と、この撮像制御工程により拡大倍率を制御された前記撮像手段により撮像される文字列画像を記録手段に記録させる記録制御工程とを含む。したがって、記載した工程に従って処理を実行することにより、請求項２記載の発明と同様の作用効果を奏する。
【００１５】
また、請求項８記載の発明にあっては、撮像画素数を変化させて撮像可能な撮像手段と、この撮像手段により撮像される被写体像を表示する表示手段とを備えた撮像装置における文字列撮像方法であって、前記撮像手段の撮像画素数を設定する設定工程と、前記撮像手段が文字列を撮像する際に、前記設定手段により設定された撮像画素数に応じて、撮像後に文字認識可能な大きさで各文字が収まるべき枠を前記表示手段に表示させる枠表示制御工程と、前記設定工程により設定された撮像画素数で前記撮像手段により撮像される文字列画像を記記録手段に記録させる記録制御工程とを含む。したがって、記載した工程に従って処理を実行することにより、請求項３記載の発明と同様の作用効果を奏する。
【００１６】
また、請求項９記載の発明に係る文字列撮像プログラムにあっては、拡大倍率を変化させて撮像可能な撮像手段と、この撮像手段により撮像される被写体像を表示する表示手段とを備える撮像装置が有するコンピュータを、前記撮像手段が文字列を撮像する際に、撮像後に文字認識可能な大きさで各文字が収まるべき枠を前記表示手段に表示させる枠表示制御手段と、操作に応じて前記撮像手段の拡大倍率を制御する撮像制御手段と、この撮像制御手段により拡大倍率を制御された前記撮像手段により撮像される文字列画像を記録手段に記録させる記録制御手段として機能させる。したがって、前記コンピュータが記載したプログラムに従って処理を実行することにより、請求項１記載の発明と同様の作用効果を奏する。
【００１７】
また、請求項１０記載の発明に係る文字列撮像プログラムにあっては、拡大倍率を変化させて撮像可能な撮像手段と、この撮像手段により撮像される被写体像を表示する表示手段とを備える撮像装置が有するコンピュータを、前記撮像手段が文字列を撮像する際に、撮像後に文字認識可能な大きさで各文字が収まるべき枠を前記表示手段に表示させる枠表示制御手段と、前記撮像手段により撮像される文字のサイズを設定する設定手段と、この設定手段により設定された文字のサイズに応じて、前記文字列の各文字が前記枠内に収まるように前記撮像手段の拡大倍率を制御する撮像制御手段と、この撮像制御手段により拡大倍率を制御された前記撮像手段により撮像される文字列画像を記録手段に記録させる記録制御手段として機能させる。したがって、前記コンピュータが記載したプログラムに従って処理を実行することにより、請求項２記載の発明と同様の作用効果を奏する。
【００１８】
また、請求項１１記載の発明に係る文字列撮像プログラムにあっては、撮像画素数を変化させて撮像可能な撮像手段と、この撮像手段により撮像される被写体像を表示する表示手段とを備える撮像装置が有するコンピュータを、前記撮像手段の撮像画素数を設定する設定手段と、前記撮像手段が文字列を撮像する際に、前記設定手段により設定された撮像画素数に応じて、撮像後に文字認識可能な大きさで各文字が収まるべき枠を前記表示手段に表示させる枠表示制御手段と、前記設定手段により設定された撮像画素数で前記撮像手段により撮像される文字列画像を記録手段に記録させる記録制御手段として機能させる。したがって、前記コンピュータが記載したプログラムに従って処理を実行することにより、請求項３記載の発明と同様の作用効果を奏する。
【発明の効果】
【００１９】
以上説明したように本発明によれば、撮像する文字列の文字サイズや当該撮像装置が有する撮像画素数により左右されることなく、文字認識可能な状態で文字列を撮像記録することができるのみならず、適正な大きさで効率的に文字認識可能な状態で文字列を撮像記録することができる。
【００２０】
また、本発明によれば、設定された撮像画素数により左右されることなく、文字認識可能な状態で文字列を撮像記録することができるのみならず、適正な大きさで効率的に文字認識可能な状態で文字列を撮像記録することができる。
【発明を実施するための最良の形態】
【００２１】
以下、本発明を携帯電話に適用した実施の形態を図に従って説明する。
【００２２】
（第１の実施の形態）
図１は、本発明の各実施の形態に共通する携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００２３】
本体部の前面には、カメラキー１０４、メールキー１０５、カーソル・ズームキー１０６、決定キー１０７、アドレスキー１０８、ネット接続キー１０９、クリアキー１１０、オンフックキー１１１とオフフックキー１１２、数字キー１１３等が設けられている。これらのキーにおいて、カーソル・ズームキー１０６、決定キー１０７、アドレスキー１０８、ネット接続キー１０９は、この携帯電話１を右手で握持した場合、当該右手の親指で操作可能な位置に配置されている。
【００２４】
また、カメラキー１０４は、着信待受け状態からカメラモードへの移行時及び撮像部の起動させる際に操作されるとともに、カメラ−ムービー切替に使用される。メールキー１０５は、メールモード移行時及びメールプログラムロード時に操作されるキーである。カーソル・ズームキー１０６は、カーソル移動時と撮像レンズ１１８の拡大倍率を調整するズーム時に操作される。決定キー１０７は各種モードの決定時に操作されるとともに、カメラモードにおいてシャッターキーとして機能する。
【００２５】
アドレスキー１０８は、アドレス帳データを表示する際に操作されるキーであり、ネット接続キー１０９は、外部のネットワーク接続用の操作キーである。クリアキー１１０は、キャンセル指示用のキーであり、数字キー１１３は、文字入力及びダイアル入力用として使用され、数字［０］〜［９］が付されたキー構成されている。
マイク１１４は、本体部の下部に設けられており、通話時において音声入力を行う。
【００２６】
また、蓋部の背面には、録音用マイク１１５、カラー液晶からなるサブ表示部１１６、着信の際、発光する報知用ＬＥＤ１１７、撮像レンズ１１８、及びフラッシュ用ＬＥＤ１１９が配置されており、撮像レンズ１１８はズーム機能を有する。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００２７】
図２は、携帯電話１の構成を示すブロック図である。無線部１２１は、アンテナ１０３に接続されており、ＱＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。
【００２８】
通信データ処理部１２２１は、ＣＬＥＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜数字キー１１３等で構成される。
【００２９】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラム等を格納し、特に本実施の形態においては、ＤＳＰ１２９にてデジタル化された画像データに対し圧縮符号化処理を施すためのプログラムを含むカメラアプリケーション等を記憶する。音源ＩＣ１２６は、報知音の波形を記憶するともに出力するものであって、アンプ１２７は音源ＩＣ１２６からの出力を増幅し、前記報知用スピーカ１２０はこれを再生する。
【００３０】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、ＣＣＤ、若しくはＣＭＯＳ等のイメージセンサーと、前記ズーム機能を備えた撮像レンズ１１８を駆動する光学ズーム用のステップモータ等からなる。ＤＳＰ１２９は、この撮像デバイス１３０で撮り込まれたアナログ信号をデジタル信号に変換し、イメージデータを生成する。このイメージデータに基づき、表示モジュール系ドライバ１２８がメイン表示部１０２を駆動することにより、設定された拡大倍率で撮像レンズ１１８により撮像デバイス１３０上に結像された被写体像がメイン表示部１０２に表示される。なお、この第１の実施の形態及び後述する第２の実施の形態においては、撮像デバイス１３０の撮像画素数は固定である。
【００３１】
また、撮像レンズ１１８はオートフォーカス制御用のステップモータ等からなる駆動機構（図示せず）に保持されている。そして、制御部１２２からのコントラスト検出方式のパッシブＡＦに基づく制御信号に応じて、ＡＦドライバ１３１が出力する駆動信号が駆動機構に供給されることにより、撮像レンズ１１８を光軸上の前後に移動して合焦動作を行うように構成されている。なお、絞り１３２はパンフォーカスが可能な絞り値が設定された固定式である。
【００３２】
図３（ａ）は、プログラムＲＯＭ１２５のメモリエリアの構成を示す概念図である。プログラムＲＯＭ１２５は、ソフトウェアプログラム格納領域１２５１及びその他の格納領域１２５２とを有している。ソフトウェアプログラム格納領域１２５１には、本実施の形態の特徴であるカメラアプリケーションが格納されており、その他の格納領域１２５２にはその他のアプリケーションが格納されている。
【００３３】
図４は、前記ＲＡＭ１２４のメモリエリアの構成を示す概念図である。ＲＡＭ１２４は、アドレス帳記憶領域１２４１、メールデータ記憶領域１２４２、画像メモリ１２４３、及びその他のワーク領域１２４４からなる。アドレス帳記憶領域１２４１は、氏名、電話番号、メールアドレス等を１レコードとして複数記憶する。メールデータ記憶領域１２４２には、メールソフトウェアを使用して作成されたメールデータや、受信したメールデータを格納する。画像メモリ１２４３は、撮影された画像の画像ファイルを格納する。その他のワーク領域１２４４は、ワークメモリとして各種データ格納する。
【００３４】
次に、以上の構成に係る携帯電話１の動作について説明する。着信待受け状態においては、この携帯電話１は一般的な携帯電話と同様に機能する。そして、ユーザが携帯電話１をカメラとして使用すべく、カメラキー１０４のワンタッチ操作すると、制御部１２２は、このカメラキー１０４の操作に応答してカメラモードに移行し、ソフトウェアプログラム格納領域１２５１に記憶されるカメラアプリケーションをロードし、図５に示すフローチャートに従って処理を実行する。
【００３５】
すなわち、カメラキー１０４のワンタッチ操作に応答して、カメラモードを起動し、図６（ａ）に示す起動画面をメイン表示部１０２に表示させて、スルー画像を表示する（ステップＳ１０１）。すなわち、撮像レンズ１１８により撮像デバイス１３０上に結像された被写体像のアナログ信号をＤＳＰ１２９でデジタル信号に変換し、生成されたイメージデータによりスルー画像をメイン表示部１０２に表示させる。このとき、同図に示すように、メイン表示部１０２にメニューキー１５１と認識キー１５２とを表示させる。
【００３６】
この表示状態で、カーソルキー１０６と実行キー１０７との操作により、認識キー１５２が選択されると、画像文字認識モードに切り替える（ステップＳ１０２）。なお、画像文字認識モードに切り替えるに際してユーザは、この携帯電話１を被写体とする文字列から所定の距離（この携帯電話１の取扱説明書において示してある。）に固定しておく。そして、この画像文字認識モードへの移行に伴って、メイン表示部１０２に図６（ｂ）に示すガイド枠１５３を表示する（ステップＳ１０３）。なお、このとき通常のカメラモードに戻るために選択される通常キー１５４も表示させる。
【００３７】
ここで、前記ガイド枠１５３における各升目は、撮像デバイス１３０が有する撮像画素数（解像度、本実施の形態においては固定）との関係において、撮像後に文字認識可能な大きさや文字認識可能な一文字当たりの画素数（撮像画素数／字）で、文字列を構成する各文字が収まるべき大きさである。つまり、この携帯電話１において、ガイド枠１５３における各升目内に最大の大きさで収まれば、一般的な文字認識装置（「４００ｄｐｉ／字」まで認識可能な文字認識装置）あるいはこの携帯電話１に対応する文字認識装置に文字認識が可能な大きさである。
【００３８】
したがって、図６（ｃ）に示すように、メイン表示部１０２に表示されているスルー画像の文字列１５５の文字１５６がガイド枠１５３の各升目よりも大きい状態では、文字認識は可能となるにしても、撮像可能な文字数は少なく非効率的である。また、図示しないがこれとは逆に、文字列１５５の文字１５６がガイド枠１５３の各升目よりも小さい状態では、これを撮像記録しても文字認識が不可能となる。
【００３９】
そこで、文字１５６がガイド枠１５３の各升目内に最も大きい状態で収まるように、拡大倍率を調整すべく、ユーザはカーソル・ズームキー１０６を操作する。すると、制御部１２２は、撮像デバイス１３０を制御して撮像レンズ１１８を駆動させるズーム処理を実行する（ステップＳ１０４）。このズーム処理に伴って、図６（ｄ）に示すように、文字１５６がガイド枠１５３の各升目内に最も大きい状態で収まるようになる。
【００４０】
一方、制御部２２は決定キー１０７の操作があるまで（ステップＳ１０６）、操作に応じたズーム処理を繰り返し、決定キー１０７が操作されると、撮像・記録処理を実行する（ステップＳ１０７）。すなわち、ガイド枠１５３に収まった文字列１５５からなるスルー画像の画像データを、カメラアプリケーションにて圧縮符号化処理して画像ファイルを生成し、画像メモリ１２４３に記憶させる。
【００４１】
したがって、画像メモリ１２４３には、当該携帯電話１が有する撮像画素数との関係において、文字認識可能な大きさでガイド枠１５３の升目に収まった文字１５６が記録されることとなる。しかも、メイン表示部１０２に表示された文字列１５５の文字１５６がガイド枠１５３の各升目内に収まる状態で撮像すれば、撮像した文字１５６が過剰な大きさとなることもない。よって、撮像する文字列１５５の文字サイズや当該携帯電話１が有する撮像画素数により左右されることなく、文字認識可能な状態で文字列１５５を撮像記録することができ、かつ、適正な大きさで効率的に文字認識可能な状態で文字列１５５を撮像記録することができる。
【００４２】
（第２の実施の形態）
図７は、本発明の第２の実施の形態における処理手順を示すフローチャートである。すなわち、前述と同様にカメラキー１０４のワンタッチ操作に応答して、カメラモードを起動し、図８（ａ）に示す起動画面をメイン表示部１０２に表示させて、スルー画像を表示する（ステップＳ２０１）。このとき、同図に示すように、メイン表示部１０２にメニューキー１５１と認識キー１５２とを表示させる。
【００４３】
この表示状態で、カーソルキー１０６と実行キー１０７との操作により、認識キー１５２が選択されると、画像文字認識モードに切り替える（ステップＳ２０２）。なお、画像文字認識モードに切り替えるに際してユーザは、この携帯電話１を被写体とする文字列から所定の距離（この携帯電話１の取扱説明書において示してある。）に固定しておくことは前記実施の形態と同様である。そして、この画像文字認識モードへ移行後、同様にカーソルキー１０６と実行キー１０７との操作により、メニューキー１５１が選択されると、図８（ｂ）に示すメニュー画面を表示させる（ステップＳ２０３）。
【００４４】
さらに、数字キー１１３における数字「４」が操作されると、前記メニュー画面における「４」は「認識文字サイズ選択」であるので、図８（ｃ）に示すように、認識文字サイズ選択画面を表示させる（ステップＳ２０４）。この認識文字サイズ選択画面は、「小さい（６〜８Ｐ）」「標準（９〜１１Ｐ）」「やや大きい１２〜１６Ｐ」「大きい（１８〜２０Ｐ）」からなる選択肢と（Ｐはポイントを示す）、カーソル１５７とで構成される。そこでユーザは、カーソルキー１０６の操作により、撮像しようとする被写体の文字の大きさに対応する文字サイズの選択肢にカーソル１５７を合わせ、実行キー１０７の操作によりこれを選択すると、メイン表示部１０２に図８（ｄ）に示すガイド枠１５３を表示する（ステップＳ２０５）。なお、このとき通常のカメラモードに戻るために選択される通常キー１５４も表示させる。
【００４５】
ここで、前記ガイド枠１５３における各升目は、撮像デバイス１３０が有する撮像画素数（本実施の形態においては固定）との関係において、撮像後に文字認識可能な大きさや文字認識可能な一文字当たりの画素数で、文字列を構成する各文字が収まるべき大きさである。つまり、この携帯電話１において、ガイド枠１５３における各升目内に最大の大きさで収まれば、前記一般的な文字認識装置あるいはこの携帯電話１に対応する文字認識装置に文字認識が可能な大きさである。
【００４６】
したがって、図８（ｅ）に示すように、メイン表示部１０２に表示されているスルー画像の文字列１５５の文字１５６がガイド枠１５３の各升目よりも大きい状態では、文字認識は可能となるにしても、撮像可能な文字数は少なく非効率的である。また、図示しないがこれとは逆に、文字列１５５の文字１５６がガイド枠１５３の各升目よりも小さい状態では、これを撮像記録しても文字認識が不可能となる。
【００４７】
そこで、制御部１２２は、選択された文字サイズに基づき撮像デバイス１３０を制御し、撮像レンズ１１８を駆動させるズーム処理を実行して、図８（ｆ）に示すように、文字１５６がガイド枠１５３の各升目内に最も大きい状態で収まるように、撮像レンズ１１８の拡大倍率を自動調整する（ステップＳ２０６）。
【００４８】
引き続き、制御部２２は決定キー１０７の操作があるまで待ち（ステップＳ２０７）、決定キー１０７が操作されると、撮像・記録処理を実行する（ステップＳ２０８）。すなわち、ガイド枠１５３に収まった文字列１５５からなるスルー画像の画像データを、カメラアプリケーションにて圧縮符号化処理して画像ファイルを生成し、画像メモリ１２４３に記憶させる。
【００４９】
したがって、画像メモリ１２４３には、当該携帯電話１が有する撮像画素数との関係において、文字認識可能な大きさでガイド枠１５３の升目に収まった文字１５６が記録されることとなる。しかも、メイン表示部１０２に表示された文字列１５５の文字１５６がガイド枠１５３の各升目内に収まる状態で撮像されるので、撮像した文字１５６が過剰な大きさとなることもない。よって、撮像する文字列１５５の文字サイズや当該携帯電話１が有する撮像画素数により左右されることなく、文字認識可能な状態で文字列１５５を撮像記録することができ、かつ、適正な大きさで効率的に文字認識可能な状態で文字列１５５を撮像記録することができる。
【００５０】
しかも、本実施の形態においては、ステップＳ２０６において撮像レンズ１１８の拡大倍率を自動調整されることから、容易に文字認識可能な状態で文字列を撮像記録することができ、また、容易に適正な大きさで効率的に文字認識可能な状態で文字列を撮像記録することができる。
【００５１】
（第３の実施の形態）
本発明の第３の実施の形態における携帯電話１の回路構成は、図２に示した前記実施の形態同様である。但し、前記第１及び第２の実施の形態では、撮像デバイス１３０の撮像画素数は固定であったのに対し、第３の実施の形態においては、メニュー画面からの選択により、撮像デバイス１３０の撮像画素数（記録サイズ）を「２５９２×１９４４画素」「１６００×１２００画素」「１０２４×７６８画素」「６４０×４８０画素」に設定変更可能である。
【００５２】
図９は、本実施の形態における処理手順を示すフローチャートである。すなわち、前述と同様にカメラキー１０４のワンタッチ操作に応答して、カメラモードを起動し、図１０（ａ）に示す起動画面をメイン表示部１０２に表示させて、スルー画像を表示する（ステップＳ３０１）。このとき、同図に示すように、メイン表示部１０２にメニューキー１５１と認識キー１５２とを表示させる。
【００５３】
この表示状態で、カーソルキー１０６と実行キー１０７との操作により、認識キー１５２が選択されると、画像文字認識モードに切り替える（ステップＳ３０２）。なお、画像文字認識モードに切り替えるに際してユーザは、この携帯電話１を被写体とする文字列から所定の距離（この携帯電話１の取扱説明書において示してある。）に固定しておくことは前記実施の形態と同様である。そして、この画像文字認識モードへ移行後、同様にカーソルキー１０６と実行キー１０７との操作により、メニューキー１５１が選択されると、図１０（ｂ）に示すメニュー画面を表示させる（ステップＳ３０３）。
【００５４】
さらに、数字キー１１３における数字「４」が操作されると、前記メニュー画面における「４」は「記録サイズ選択」であるので、図１０（ｃ）に示すように、記録サイズ選択画面を表示させる（ステップＳ３０４）。この記録サイズ選択画面は、「２５９２×１９４４画素」「１６００×１２００画素」「１０２４×７６８画素」「６４０×４８０画素」からなる選択肢と、カーソル１５７とで構成される。そこでユーザは、カーソルキー１０６の操作により、自己が撮像する被写体の文字の大きさを考慮して、記録サイズの選択肢にカーソル１５７を合わせ、実行キー１０７の操作によりこれを選択すると、メイン表示部１０２に図１０（ｄ）に示すガイド枠１５３を表示する（ステップＳ３０５）。また、この選択に伴って、撮像デバイス１３０は選択された画素数での撮像を開始する。なお、このとき通常のカメラモードに戻るために選択される通常キー１５４も表示させる。
【００５５】
ここで、前記ガイド枠１５３における各升目は、前記選択された撮像デバイス１３０の撮像画素数（解像度）との関係において、撮像後に文字認識可能な大きさや文字認識可能な一文字当たりの画素数で、文字列を構成する各文字が収まるべき大きさである。つまり、選択された撮像画素数において、ガイド枠１５３における各升目内に最大の大きさで収まれば、前記一般的な文字認識装置あるいはこの携帯電話１に対応する文字認識装置に文字認識が可能な大きさである。
【００５６】
したがって、図１０（ｅ）に示すように、メイン表示部１０２に表示されているスルー画像の文字列１５５の文字１５６がガイド枠１５３の各升目よりも大きい状態では、文字認識は可能となるにしても、撮像可能な文字数は少なく非効率的である。また、図示しないがこれとは逆に、文字列１５５の文字１５６がガイド枠１５３の各升目よりも小さい状態では、これを撮像記録しても文字認識が不可能となる。
【００５７】
そこで、制御部１２２は、表示させたガイド枠１５３の升目の大きさに基づき撮像デバイス１３０を制御し、撮像レンズ１１８を駆動させるズーム処理を実行して、図１０（ｆ）に示すように、文字１５６がガイド枠１５３の各升目内に最も大きい状態で収まるように、撮像レンズ１１８の拡大倍率を自動調整する（ステップＳ３０６）。
【００５８】
引き続き、制御部２２は決定キー１０７の操作があるまで待ち（ステップＳ３０７）、決定キー１０７が操作されると、撮像・記録処理を実行する（ステップＳ３０８）。すなわち、ガイド枠１５３に収まった文字列１５５からなるスルー画像の画像データを、カメラアプリケーションにて圧縮符号化処理して画像ファイルを生成し、画像メモリ１２４３に記憶させる。
【００５９】
したがって、画像メモリ１２４３には、選択された記録サイズ（解像度）との関係において、文字認識可能な大きさでガイド枠１５３の升目に収まった文字１５６が記録されることとなる。しかも、メイン表示部１０２に表示された文字列１５５の文字１５６がガイド枠１５３の各升目内に収まる状態で撮像すれば、撮像した文字１５６が過剰な大きさとなることもない。よって、撮像する文字列１５５の記録サイズや選択設定された撮像画素数により左右されることなく、文字認識可能な状態で文字列１５５を撮像記録することができ、かつ、適正な大きさで効率的に文字認識可能な状態で文字列１５５を撮像記録することができる。
【００６０】
なお、本実施の形態においては、ステップＳ３０６での処理により、自動的にズーム処理を行うようにしが、第１の実施の形態と同様に、ユーザの操作に応じてズーム処理を行うようにしてもよい。また、各実施の形態においては、本発明を携帯電話に適用した場合を示したが、これに限ることなく、ＰＤＡ、デジタルカメラ単体、携帯型ゲーム機等撮像機能を有する他の機器に適用し得ることは勿論である。
【図面の簡単な説明】
【００６１】
【図１】（ａ）は本発明の各実施の形態に共通する携帯電話の正面図、（ｂ）は背面図である。
【図２】携帯電話の構成を示すブロック図である。
【図３】プログラムＲＯＭのメモリエリアの構成を示す概念図である。
【図４】ＲＡＭのメモリエリアの構成を示す概念図である。
【図５】本発明の第１の実施の形態における処理手順を示すフローチャートである。
【図６】同実施の形態における表示画面遷移図である。
【図７】本発明の第２の実施の形態における処理手順を示すフローチャートである。
【図８】同実施の形態における表示画面遷移図である。
【図９】本発明の第３の実施の形態における処理手順を示すフローチャートである。
【図１０】同実施の形態における表示画面遷移図である。
【符号の説明】
【００６２】
１    携帯電話
１０２    メイン表示部
１０４    カメラキー
１０６    カーソル・ズームキー
１１３    数字キー
１１８    撮像レンズ
１２２    制御部
１２４    ＲＡＭ
１２５    プログラムＲＯＭ
１２８    表示モジュール系ドライバ
１２９    ＤＳＰ
１３０    撮像デバイス
１２４３    画像メモリ
１２４４    ワーク領域
１２５１    ソフトウェアプログラム格納領域
【図１】
2006041645.tif 000003
【図２】
2006041645.tif 000004
【図３】
2006041645.tif 000005
【図４】
2006041645.tif 000006
【図５】
2006041645.tif 000007
【図６】
2006041645.tif 000008
【図７】
2006041645.tif 000009
【図８】
2006041645.tif 000010
【図９】
2006041645.tif 000011
【図１０】
2006041645.tif 000012